(57)【要約】【課題】  バーコードラベルの損傷，汚損を防止するバーコードラベル保護具について、バーコードラベルの損傷，汚損を確実に防止する。【解決手段】  農作業，土木建設作業等に利用される機器類からなる被取付機器Ｍに貼着されたバーコードラベルＲの周囲に貼着されバーコードラベルＲを囲んでバーコードラベルＲから立上げられる筒形の本体部１と、本体部１のバーコードラベルＲに立上げられた側で対面する面である端面に開閉可能に設けられた蓋部２とからなる。【選択図】        図４
0003194806.tif 000002
【実用新案登録請求の範囲】
【請求項１】
被取付機器に貼着されたバーコードラベルの周囲に貼着されバーコードラベルを囲んでバーコードラベルから立上げられる筒形の本体部と、本体部のバーコードラベルに立上げられた側で対面する面である端面に開閉可能に設けられた蓋部とからなることを特徴とするバーコードラベル保護具。
【請求項２】
請求項１のバーコードラベル保護具において、本体部と蓋部とは連結されていることを特徴とするバーコードラベル保護具。
【請求項３】
請求項１または２のバーコードラベル保護具において、本体部と蓋部とは閉鎖状態において嵌合構造で水密性が確保されることを特徴とするバーコードラベル保護具。
【考案の詳細な説明】
【技術分野】
【０００１】
本考案は、バーコードラベルの損傷，汚損を防止するバーコードラベル保護具に係る技術分野に属する。
【背景技術】
【０００２】
最近、情報を一次元，二次元のコードに変換して光学的手段で読取るようにした情報処理システムが普及してきている。コード化された情報は、バーコードと総称され通常ラベルとして提供されている。このバーコードラベルは、損傷，汚損されると情報の正確な読取りが不能になってしまうことになる。そこで、バーコードラベルの損傷，汚損を防止する技術の開発が要望されている。
【０００３】
従来、バーコードラベルの損傷，汚損を防止する技術としては、例えば、特許文献１に記載のものが知られている。
【０００４】
特許文献１には、ガスボンベからなる被取付機器に貼着されたバーコードラベルの上に磁力で吸着積層されるシート状のバーコードラベル保護具が記載されている。
【０００５】
特許文献１に係るバーコードラベル保護具は、バーコードラベルの全体を面状に覆うことで、バーコードラベルの損傷，汚損を防止するものである。なお、バーコードの読取りの際には、バーコードラベルから取外されることになる。
【先行技術文献】
【特許文献】
【０００６】
【特許文献１】特開２００１−８２６９９号公報
【考案の概要】
【考案が解決しようとする課題】
【０００７】
特許文献１に係るバーコードラベル保護具では、農作業，土木建設作業等に利用される機器類に使用された場合、衝突する土砂等の衝撃によってバーコードラベル保護具を通過してバーコードラベルが損傷，汚損されることがあるため、バーコードラベルの損傷，汚損を確実に防止することができないという問題点がある。
【０００８】
本考案は、このような問題点を考慮してなされたもので、バーコードラベルの損傷，汚損を確実に防止することのできるバーコードラベル保護具を提供することを課題とする。
【課題を解決するための手段】
【０００９】
前述の課題を解決するため、本考案に係るバーコードラベル保護具は、実用新案登録請求の範囲の各請求項に記載の手段を採用する。
【００１０】
即ち、請求項１では、被取付機器に貼着されたバーコードラベルの周囲に貼着されバーコードラベルを囲んでバーコードラベルから立上げられる筒形の本体部と、本体部のバーコードラベルに立上げられた側で対面する面である端面に開閉可能に設けられた蓋部とからなることを特徴とする。
【００１１】
この手段では、本体部，蓋部によってカップ形に形成されることで、バーコードラベルの上方に衝突する土砂等の衝撃を緩衝する緩衝空間が形成され、農作業，土木建設作業等に利用される機器類が被取付機器である場合でも衝突する土砂等の衝撃によってバーコードラベル保護具を通過してバーコードラベルが損傷，汚損されることがなくなる。
【００１２】
また、請求項２では、請求項１のバーコードラベル保護具において、本体部と蓋部とは連結されていることを特徴とする。
【００１３】
この手段では、本体部と蓋部とが連結されることで、本体部に対して開閉される蓋体の離脱が防止される。
【００１４】
また、請求項３では、請求項１または２のバーコードラベル保護具において、本体部と蓋部とは閉鎖状態において嵌合構造で水密性が確保されることを特徴とする。
【００１５】
この手段では、本体部と蓋部とが閉鎖状態において嵌合構造で水密性が確保されることで、衝突する土砂等の内部への浸入を確実に阻止することができる。
【考案の効果】
【００１６】
本考案に係るバーコードラベル保護具は、本体部，蓋部によってカップ形に形成されることで、バーコードラベルの上方に衝突する土砂等の衝撃を緩衝する緩衝空間が形成され、農作業，土木建設作業等に利用される機器類が被取付機器である場合でも衝突する土砂等の衝撃によってバーコードラベル保護具を通過してバーコードラベルが損傷，汚損されることがなくなるため、バーコードラベルの損傷，汚損を確実に防止することができる効果がある。
【００１７】
さらに、請求項２として、本体部と蓋部とが連結されることで、本体部に対して開閉される蓋体の離脱が防止されるため、本体部を開放した蓋体の紛失を防止することができる効果がある。
【００１８】
さらに、請求項３として、本体部と蓋部とが閉鎖状態において嵌合構造で水密性が確保されることで、衝突する土砂等の内部への浸入を確実に阻止することができるため、バーコードラベルの損傷，汚損をより確実に防止することができる効果がある。
【図面の簡単な説明】
【００１９】
【図１】本考案に係るバーコードラベル保護具を実施するための形態の全体を示すもので、（Ａ）に側面断面図が示され、（Ｂ）に平面図が示されている。
【図２】図１の使用工作例を示す側面断面図である。
【図３】図２の使用工作の完成状態図である。
【図４】図３における蓋部の閉鎖状態図である。
【図５】図４とは別の使用例を示す側面断面図である。
【考案を実施するための形態】
【００２０】
以下、本考案に係るバーコードラベル保護具を実施するための形態を図面に基づいて説明する。
【００２１】
この形態は、図１に示すように、本体部１と蓋部２と連結部３とからなる。
【００２２】
本体部１は、農作業，土木建設作業等に利用される機器類からなる被取付機器Ｍに貼着されたバーコードラベルＲの周囲に両面テープＴ等により貼着されるもので、バーコードラベルＲからわずかな軸長Ｓで立上げられる円筒形に形成されている。円筒形の筒部１１の被取付機器Ｍへの貼着側には、筒形の外周面の裾を広げて貼着面積を拡張した貼着面が１２が形成されている。円筒形の筒部１１の被取付機器Ｍへの貼着側の反対側は、蓋部２が嵌合される寸胴の嵌合部１３に形成されている。
【００２３】
蓋部２は、本体部１のバーコードラベルＲに立上げられた側で対面する面である端面に開閉可能に設けられるもので、本体部１の端面を閉塞する円板形に形成されている。円板形の板部２１の本体部１に対面する面には、本体部１の嵌合部１２を挟込む格好になる２本の円形リブからなる嵌合リブ２２が突出するように形成されている。円板形の板部２１の端部（図１の右側である連結部３の反対側の端部）には、舌片２３が突出するように形成されている。
【００２４】
連結部３は、本体部１と蓋部２とを連結するもので、本体部１の貼着面１２の側部から蓋部２の板部２１に至る帯状片に形成されている。
【００２５】
これ等の本体部１，蓋部２，連結部３については、合成樹脂材によって一体的に成形することで安価，容易に製造することができる。合成樹脂材による成形に際しては、連結部３を薄肉構造としてヒンジとして機能させることもできる。また、合成樹脂材に耐候性材，遮光性材等を添加することもできる。
【００２６】
この形態を使用するには、図２に示すように、被取付機器Ｍに貼着されたバーコードラベルＲの周囲に両面テープＴ等を貼着してから、両面テープＴに本体部１の貼着面１２を貼着させる。この結果、図３に示すように、本体部１の広い貼着面積を有する貼着面１２によって、本体部１が被取付機器Ｍに強力に貼着され簡単に離脱することはなくなる。
【００２７】
次に、図４に示すように、蓋部２で本体部１の開放されている端面を閉塞する。この閉塞では、蓋部２を本体部１に押付けるようにしてワンタッチの操作で行うことができる。閉塞された状態（閉鎖状態）では、蓋部２の嵌合リブ２２が本体部１の嵌合部１３を挟込んで嵌合構造を構成する。
【００２８】
このような使用工作が完了すると、バーコードラベルＲがカップ形となった本体部１，蓋部２によって覆われることになって、バーコードラベルＲの損傷，汚損が防止される。特に、バーコードラベルＲの上方に衝突する土砂等の衝撃を緩衝する緩衝空間Ｃが形成され、農作業，土木建設作業等に利用される機器類が被取付機器Ｍである場合でも衝突する土砂等の衝撃によってバーコードラベル保護具を通過してバーコードラベルＲが損傷，汚損されることがなくなる。この結果、バーコードラベルＲの損傷，汚損が確実に防止される。
【００２９】
また、前述のように本体部１，蓋部２が嵌合構造で閉鎖状態を構成することから、水密性が確保され、衝突する土砂等の内部への浸入を確実に阻止することができる。この結果、バーコードラベルＲの損傷，汚損をより確実に防止することができる。
【００３０】
この形態でバーコードラベルＲのバーコードを読取る際には、本体部１から蓋部２を開放することになる。このとき、蓋部２を板部２１に設けられている舌片２３を掴んで開放すると、本体部１，蓋部２が嵌合されていても蓋部２を容易に開放することができる。
【００３１】
そして、開放された本体部１の端面（嵌合部１３）から内部のバーコードラベルＲのバーコードを読取ることになる。
【００３２】
なお、開放された蓋部２は、連結部３で本体部に連結されているため、紛失されるようなことはない。
【００３３】
さらに、この形態では、図５に示すように、蓋部２の板部２１の両面にもバーコードラベルＲを貼着する使用形態を採ることもできる。
【００３４】
この使用形態では、各バーコードラベルＲのバーコードに異なる情報を書込んで、情報量を増量することができる。また、各バーコードラベルＲのバーコードに同一の情報を書込んで、異なる貼着箇所への散在によって損傷，汚損による情報の喪失の確率を低減することができる。
更に、蓋部２に覆われて本体１内部のバーコードラベルＲの存在が確認し難くなった場合にも、蓋部２の表面に貼着したバーコードＲによってその存在を示唆することができる。
以上、図示した形態の外に、本体部１を角筒形等に形成することも可能である。
【実施例】
【００３５】
前述の本考案に係るバーコードラベル保護具を実施するための形態では、本体部１の筒部１１の内径を直径６０ｍｍとした場合、本体部１の筒部１１の軸長Ｓを２０ｍｍ程度とするのが好ましい。
【産業上の利用可能性】
【００３６】
本考案に係るバーコードラベル保護具は、水濡れやオイル濡れの可能性のある各種加工機器への使用も有効である。
【符号の説明】
【００３７】
１            本体部
２            蓋部
３            連結部
Ｍ            被取付機器
Ｒ            バーコードラベル
【図１】
0003194806.tif 000003
【図２】
0003194806.tif 000004
【図３】
0003194806.tif 000005
【図４】
0003194806.tif 000006
【図５】
0003194806.tif 000007